(57)【要約】【課題】原子力発電所の複数の非常用電源系統に欠相故障検出装置を導入するに際し、複数の非常用電源系統のうち一系統のみで欠相が発生した場合等において、非常用ディーゼル発電機の不要な起動を抑制する必要がある。【解決手段】複数の非常用電源系統を備え、それぞれの受電変圧器の欠相故障を検出する装置を有する非常用電源設備であって、通常時に非常用母線へ給電している系統の全ての受電変圧器について欠相が検出された場合に、外部電源の隔離と非常用ディーゼル発電機の起動を行う。【選択図】図２
2020148748.tif 000002
【特許請求の範囲】
【請求項１】
外部電源系から電力を受電する第１受電変圧器、
前記第１受電変圧器を介して外部電源系と接続されるとともに、前記外部電源との接続を
遮断可能な受電遮断器を含む第１非常用母線、
外部電源遮断時に前記第１非常用母線に給電する第１非常用ディーゼル発電機、を有する
第１非常用電源系統と、
外部電源系から電力を受電する第２受電変圧器、
前記第２受電変圧器を介して外部電源系と接続されるとともに、前記外部電源との接続を
遮断可能な受電遮断器を含む第２非常用母線、
外部電源遮断時に前記第２非常用母線に給電する第２非常用ディーゼル発電機、を有する
第２非常用電源系統と、
前記第１受電変圧器の一次側の三相交流電源の欠相を検知する第１欠相故障検知装置と、
前記第２受電変圧器の一次側の三相交流電源の欠相を検知する第２欠相故障検知装置と、
を備えた原子力発電所の非常用電源設備であって、
前記第１欠相故障検知装置及び前記第２欠相故障検知装置の一方のみが一次側の三相交流
電源の欠相を検知した場合は第１非常用ディーゼル発電機および第２非常用ディーゼル発
電機が起動せず、
前記第１欠相故障検知装置及び前記第２欠相故障検知装置の両方が一次側の三相交流電源
の欠相を検知した場合に、前記第１非常用母線の受電遮断器と前記第２非常用母線の受電
遮断器が作動して前記外部電源からの電力が遮断されるとともに、前記第１非常用ディー
ゼル発電機および前記第２非常用ディーゼル発電機の少なくとも何れかを起動するよう構
成された、原子力発電所の非常用電源設備。
【請求項２】
外部電源系から電力を受電する第１受電変圧器、
前記第１受電変圧器を介して外部電源系と接続されるとともに、前記外部電源との接続を
遮断可能な受電遮断器を含む第１非常用母線、
外部電源遮断時に前記第１非常用母線に給電する第１非常用ディーゼル発電機、を有する
第１非常用電源系統と、
外部電源系から電力を受電する第２受電変圧器、
前記第２受電変圧器を介して外部電源系と接続されるとともに、前記外部電源との接続を
遮断可能な受電遮断器を含む第２非常用母線、
外部電源遮断時に前記第２非常用母線に給電する第２非常用ディーゼル発電機、を有する
第２非常用電源系統と、
前記第１受電変圧器の一次側の三相交流電源の欠相を検知する第１欠相故障検知装置と、
前記第２受電変圧器の一次側の三相交流電源の欠相を検知する第２欠相故障検知装置と、
前記第１非常用母線と前記第２非常用母線を連絡する母線連絡電路と、
前記母線連絡電路上に設けられた母線連絡用遮断器を備え、
前記第１受電変圧器から前記第１非常用母線および前記母線連絡電路を介して前記第２
非常用母線に給電可能に構成された原子力発電所の非常用電源設備であって、
前記前記第１受電変圧器から前記第２非常用母線に給電している場合において、前記第
２欠相故障検知装置が欠相を検知した場合には第１非常用ディーゼル発電機および第２非
常用ディーゼル発電機が起動せず、かつ、
前記第１欠相故障検知装置が欠相を検知した場合には第１非常用ディーゼル発電機およ
び第２非常用ディーゼル発電機の少なくとも何れかを起動するよう構成された、原子力発
電所の非常用電源設備。
【請求項３】
外部電源から電力を受電する受電変圧器と、受電遮断器を含む非常用母線と、外部電源
遮断時に非常用母線に給電する非常用ディーゼル発電機からなる非常用電源系統を複数備
えるとともに、前記受電変圧器のそれぞれ一次側の三相交流電源の欠相を検知する欠相故
障検出手段を有する原子力発電所の非常用電源設備の制御方法であって、
前記欠相故障検出手段が、複数の前記非常用電源系統のうち一部の前記非常用電源系統
で欠相を検出した場合は前記非常用ディーゼル発電機を起動せず、
前記欠相故障検出手段が、複数の前記非常用電源系統のすべての前記非常用電源系統で
欠相を検出した場合は前記非常用ディーゼル発電機を起動する、原子力発電所の非常用電
源設備の制御方法。
【請求項４】
外部電源から電力を受電する受電変圧器、受電遮断器を含む非常用母線、外部電源遮断
時に非常用母線に給電する非常用ディーゼル発電機からなる複数の非常用電源系統と、前
記受電変圧器のそれぞれ一次側の三相交流電源の欠相を検知する欠相故障検出手段とを備
える原子力発電所の非常用電源設備の制御装置であって、
前記欠相故障検出手段から欠相検出信号を受信し、
前記欠相故障検出手段が、複数の前記非常用電源系統のうち一部の前記非常用電源系統
で欠相を検出した場合は、前記受電遮断器の作動信号及び前記非常用ディーゼル発電機の
起動信号を送信せず、
前記欠相故障検出手段が、複数の前記非常用電源系統のすべての前記非常用電源系統で
欠相を検出した場合は、前記非常用母線を前記受電変圧器と隔離するように全機種電遮断
器へ動作信号を送信するとともに、前記非常用ディーゼル発電機に起動信号を送信する、
原子力発電所の非常用電源設備の制御装置。
【発明の詳細な説明】
【技術分野】
【０００１】
本発明は、原子力発電所の非常用電源設備およびその制御方法、制御装置に関する。
【背景技術】
【０００２】
原子力発電所の非常用所内電源系は、非常用炉心冷却系（ＥＣＣＳ）等に安定した電力
を供給し、原子炉の安全の維持に必要となる、重要度の高い電源設備である。
【先行技術文献】
【特許文献】
【０００３】
【特許文献１】特開平４−００８１２４号公報
【発明の概要】
【発明が解決しようとする課題】
【０００４】
近年、電源系統の単相欠相が発生した場合に、これを検知して故障箇所を隔離する等し
て安定した電力供給を維持することが求められている。
【０００５】
一方で、非常用所内電源系に単相欠相の検知機器を導入し、この検知機器を外部電源系
の隔離及び非常用ディーゼル発電機の起動を行うインターロックに加える場合は、検知機
器の誤検知や誤動作に伴う不要な非常用ディーゼル発電機起動を抑制できることが望まれ
る。欠相故障検知装置の検出信号をそのまま非常用ディーゼル発電機の起動インターロッ
クに用いると、外部電源系に健全系統があるにもかかわらず不要な非常用ディーゼル起動
を引き起こしてしまう。また、欠相故障検知装置の誤検知や誤動作、単体故障の際に非常
用ディーゼル発電機起動を引き起こしてしまう。
【課題を解決するための手段】
【０００６】
上記目的を達成するため、本発明の実施形態による原子力発電所の非常用電源設備は、
外部電源系から電力を受電する第１受電変圧器、前記第１受電変圧器を介して外部電源系
と接続されるとともに、前記外部電源との接続を遮断可能な受電遮断器を含む第１非常用
母線、外部電源遮断時に前記第１非常用母線に給電する第１非常用ディーゼル発電機、を
有する第１非常用電源系統と、外部電源系から電力を受電する第２受電変圧器、前記第２
受電変圧器を介して外部電源系と接続されるとともに、前記外部電源との接続を遮断可能
な受電遮断器を含む第２非常用母線、外部電源遮断時に前記第２非常用母線に給電する第
２非常用ディーゼル発電機、を有する第２非常用電源系統と、前記第１受電変圧器の一次
側の三相交流電源の欠相を検知する第１欠相故障検知装置と、前記第２受電変圧器の一次
側の三相交流電源の欠相を検知する第２欠相故障検知装置と、を備えた原子力発電所の非
常用電源設備であって、前記第１欠相故障検知装置及び前記第２欠相故障検知装置の一方
のみが一次側の三相交流電源の欠相を検知した場合は第１非常用ディーゼル発電機および
第２非常用ディーゼル発電機が起動せず、前記第１欠相故障検知装置及び前記第２欠相故
障検知装置の両方が一次側の三相交流電源の欠相を検知した場合に、前記第１非常用母線
の受電遮断器と前記第２非常用母線の受電遮断器が作動して前記外部電源からの電力が遮
断されるとともに、前記第１非常用ディーゼル発電機および前記第２非常用ディーゼル発
電機の少なくとも何れかを起動するよう構成されたものである。
【０００７】
また、本発明の実施形態による原子力発電所の非常用電源設備の制御方法は、外部電源
から電力を受電する受電変圧器と、受電遮断器を含む非常用母線と、外部電源遮断時に非
常用母線に給電する非常用ディーゼル発電機からなる非常用電源系統を複数備えるととも
に、前記受電変圧器のそれぞれ一次側の三相交流電源の欠相を検知する欠相故障検出手段
を有する原子力発電所の非常用電源設備の制御方法であって、前記欠相故障検出手段が、
複数の前記非常用電源系統のうち一部の前記非常用電源系統で欠相を検出した場合は前記
非常用ディーゼル発電機を起動せず、前記欠相故障検出手段が、複数の前記非常用電源系
統のすべての前記非常用電源系統で欠相を検出した場合は前記非常用ディーゼル発電機を
起動するものである。
【０００８】
また、本発明の実施形態による原子力発電所の非常用電源設備の制御装置は、外部電源
から電力を受電する受電変圧器、受電遮断器を含む非常用母線、外部電源遮断時に非常用
母線に給電する非常用ディーゼル発電機からなる複数の非常用電源系統と、前記受電変圧
器のそれぞれ一次側の三相交流電源の欠相を検知する欠相故障検出手段とを備える原子力
発電所の非常用電源設備の制御装置であって、前記欠相故障検出手段から欠相検出信号を
受信し、前記欠相故障検出手段が、複数の前記非常用電源系統のうち一部の前記非常用電
源系統で欠相を検出した場合は、前記受電遮断器の作動信号及び前記非常用ディーゼル発
電機の起動信号を送信せず、前記欠相故障検出手段が、複数の前記非常用電源系統のすべ
ての前記非常用電源系統で欠相を検出した場合は、前記非常用母線を前記受電変圧器と隔
離するように全機種電遮断器へ動作信号を送信するとともに、前記非常用ディーゼル発電
機に起動信号を送信するものである。
【発明の効果】
【０００９】
本発明の実施形態によれば、非常用所内電源系に単相欠相の検知機器を導入した場合に
、検知機器の誤検知や誤動作に伴う不要な非常用ディーゼル発電機起動を抑制できる非常
用電源設備を提供することができる。
【図面の簡単な説明】
【００１０】
【図１】実施例１による非常用電源設備１０１の構成を説明する回路図。
【図２】実施例１による非常用電源設備１０１にかかるインターロックの構成図。
【図３】実施例２による非常用電源設備１０１Ａの構成を説明する回路図。
【図４】実施例２による非常用電源設備１０１Ａにかかるインターロックの構成図。
【発明を実施するための形態】
【００１１】
以下本発明の実施例について図面を参照しながら説明する。
【００１２】
（実施例１）
本発明の実施例１に係る非常用電源設備１０１について、図１、図２を用いて説明する
。非常用電源設備１０１は、非常用電源系統を複数有して構成される。
【００１３】
図１は、原子力発電所に設置された非常用電源系統の構成を示す回路図である。非常用
電源系統を２系統図示しており、それぞれ同様の構成をしている。非常用電源系統は３系
統以上あっても構わない。
【００１４】
非常用電源系統１００Ａ、１００Ｂはそれぞれ、外部電源（図示せず）からの受電変圧
器１Ａ、１Ｂ、受電変圧器１Ａ、１Ｂを介して外部電源から電力供給を受けてプラント事
故中に運転する補機等へ電力を供給する非常用母線２Ａ、２Ｂ、受電変圧器１Ａ、１Ｂと
非常用母線２Ａ、２Ｂ、の間に設けられた遮断器（受電遮断器）３Ａ、３Ｂ、非常用母線
２Ａ、２Ｂが外部電源からの電力供給を受けられない非常時に非常用母線２Ａ、２Ｂへ給
電するディーゼル発電機４Ａ、４Ｂ、非常用ディーゼル発電機と非常用母線２Ａ、２Ｂの
間に設けられた遮断器（受電遮断器）５Ａ、５Ｂ、そして受電変圧器１Ａ、１Ｂの１次側
に１台ずつ設置された欠相故障検知装置６Ａ、６Ｂを備えている。
【００１５】
通常時、すなわち外部電源から非常用母線２Ａ、２Ｂへ電力が供給されている状態では
、遮断器３Ａ、３Ｂは電気的に接続された「入」状態、遮断器５Ａ，５Ｂは電気的に遮断
された「切」状態とされている。
【００１６】
また、原子力発電所の中央操作室（図示せず）には、欠相故障検知装置６Ａ、６Ｂが欠
相を検出すると警報を発報する機能が備えられている。  以下、非常用電源系統１００Ａ
、１００Ｂの両方、または非常用電源系統１００Ａ、１００Ｂのうち任意の１つを指す場
合にＡ、Ｂを付さずに非常用電源系統１００と記載する場合がある。他の構成についても
同様である。
【００１７】
図２を用いて、非常用電源設備１０１における欠相故障検知時の動作を説明する。図２
は非常用電源設備１０１に係るインターロックの構成図である。
【００１８】
欠相故障検知装置６Ａ、６Ｂが欠相を検知した際にＯＮになる条件をそれぞれ「欠相故
障検知装置６Ａが欠相を検出」９Ａ、「欠相故障検知装置６Ｂが欠相を検出」９Ｂとし、
ＯＮが入力された際に欠相故障検知装置６Ａ、６Ｂ自体の盤面並びに中央制御室に警報発
報する機能を「欠相故障検知装置６Ａ  警報発報」１０Ａ、「欠相故障検知装置６Ｂ  警
報発報」１０Ｂとする。また、条件９Ａ、９ＢのＡＮＤを１１、ＯＮが入力された際に遮
断器をトリップさせる（遮断器を「切」状態とする）機能を「遮断器３Ａ  切」１２Ａ、
「遮断器３Ｂ  切」１２Ｂとする。
【００１９】
まず、非常用電源系統１００Ａにおいてのみ欠相が生じ、欠相故障検知装置６Ａが欠相
を検知した場合の動作について説明する。
【００２０】
「欠相故障検知装置６Ａが欠相を検出」９Ａの出力信号は「欠相故障検知装置６Ａ  警
報発報」１０Ａに入力され、欠相故障検知装置６Ａの盤面並びに中央制御室に警報表示を
行う。一方、「欠相故障検知装置６Ｂが欠相を検出」９Ｂは出力されないため、「欠相故
障検知装置６Ｂ  警報発報」１０Ｂは動作しない。また、９Ａと９ＢのＡＮＤをとる符号
１１は、「欠相故障検知装置６Ｂが欠相を検出」９Ｂが出力されないため、動作せず、遮
断器３Ａ，３Ｂは「入」のままとなる。
【００２１】
ここで、非常用電源系統１００Ｂにおいてのみ欠相が生じた場合は、上述の説明におい
てＡとＢを読み替えた動作となる。
【００２２】
次に、全ての外部電源系、すなわち本実施例における非常用電源系統１００Ａ、１００
Ｂの両方において欠相が生じ、欠相故障検知装置６Ａ、６Ｂが欠相検知した場合の作用に
ついて説明する。
【００２３】
「欠相故障検知装置６Ａが欠相を検出」９Ａの出力信号は「欠相故障検知装置６Ａ  警
報発報」１０Ａに入力され、欠相故障検知装置６Ａの盤面並びに中央制御室に警報表示を
行う。同様に、「欠相故障検知装置６Ｂが欠相を検出」９Ｂの出力信号は「欠相故障検知
装置６Ｂ  警報発報」１０Ｂに入力され、欠相故障検知装置６Ｂの盤面並びに中央制御室
に警報表示を行う。また、９Ａと９ＢのＡＮＤをとった符号１１がＯＮとなり、「遮断器
３Ａ  切」１２Ａ、「遮断器３Ｂ  切」１２Ｂが動作する。遮断器３Ａ、３Ｂがトリップ
すると、所内電源系のインターロックにより自動的に非常用ディーゼル発電機４Ａ、４Ｂ
が起動し、遮断器５Ａ、５Ｂが「入」状態とされ、外部電源系が隔離される。
【００２４】
ここで、非常用電源系統を３系統以上備える場合は、全ての非常用電源系統において欠
相が検出された場合に符号１１がＯＮとなるよう構成される。
【００２５】
また、非常用ディーゼル発電機４は基本的にはすべて起動するが、一部のみを起動する
制御を除外するものではない。
【００２６】
以上説明した本実施例の非常用電源設備１０１では、複数の非常用電源系統１００のうち
一部の系統が欠相となった状態においては、原子炉の安全を維持するのに必要な電源は残
りの健全な系統にて供給できることから警報発報にとどめる。そして、全ての外部電源系
にて欠相状態となった場合のみ非常用ディーゼル発電機を起動する。このような構成によ
り、非常用母線２への電力供給の信頼性を損なうことなく、健全系統存在時における非常
用ディーゼル発電機４の不要な起動を抑制することが可能となる。
【００２７】
また、通常時に複数の欠相故障検知装置６の一部について単一故障や誤動作が生じて欠相
検知信号を出力した場合であっても、警報発報を出力するだけにとどめるため、発電所に
与える影響を緩和することが可能となる。
【００２８】
（実施例２）
本発明の実施例２に係る非常用電源設備１０１Ａについて、図３、図４、図５、図６を
用いて説明する。なお、実施例１と同一の構成には同一の符号を付し、重複する説明は省
略する。非常用電源設備１０１Ａは、非常用電源系統を複数有して構成される。
【００２９】
図３は、原子力発電所に設置された非常用電源系統の構成を示す回路図である。非常用
電源系統を２系統図示しており、それぞれ同様の構成をしている。非常用電源系統は３系
統以上あっても構わない。
【００３０】
本実施例においては、非常用母線２Ａ、２Ｂを接続する母線連絡電路７と、この母線連
絡電路７に設けられた遮断器（母線連絡遮断器）８Ａ、８Ｂをさらに備えている。母線連
絡電路７上において、遮断器８Ａは非常用母線２Ａ側に、遮断器８Ｂは非常用母線２Ｂ側
に設けられている。この母線連絡電路７が設けられたことにより、非常用母線２Ａ、２Ｂ
はそれぞれの非常用電源系統１００Ａ，Ｂの受電変圧器１Ａ，１Ｂを介して給電されるだ
けでなく、他方の非常用電源系統１００から母線連絡電路７を介して給電を受けることが
可能である。例えば、遮断器３Ｂが「切」状態において、受電変圧器１Ａを介して外部電
源から非常用母線２Ａ、２Ｂの両方に給電を行うことが可能とされている。
【００３１】
遮断器８Ａ、８Ｂは、非常用母線２Ａ、２Ｂがそれぞれの非常用電源系統１００Ａ，Ｂ
の受電変圧器１Ａ，１Ｂから受電する場合は、少なくともどちらかが「切」状態とされる
。母線連絡電路７を介して非常用母線２の一方から他方へ給電される場合は、遮断器８Ａ
、８Ｂはともに「入」状態とされる。
【００３２】
図４を用いて、非常用電源設備１０１Ａにおける欠相故障検知時の動作を説明する。図
４は非常用電源設備１０１Ａに係るインターロックの構成図である。
【００３３】
図４では、遮断器３Ａが切状態のときにＯＮとなる条件「遮断器３Ａ  切」１３Ａ、遮
断器３Ｂが切状態のときにＯＮとなる条件「遮断器３Ｂ  切」１３Ｂ、遮断器８Ａが切状
態のときにＯＮとなる条件「遮断器８Ａ  切」１４Ａ、遮断器８Ｂが切状態のときにＯＮ
となる条件「遮断器８Ｂ  切」１４Ｂを有する。
【００３４】
符号９Ａと符号９ＢのＯＲを符号１５とするが、「遮断器３Ａ  切」１３Ａ、「遮断器
３Ｂ  切」１３ＢがそれぞれＯＮの場合は符号９Ａ、符号９Ｂはワイプアウト（ＷＯ）さ
れるため、符号１５への入力はＯＦＦとなる。すなわち、符号１５は、少なくともいずれ
かの非常用電源系統１００において遮断器３が「入」状態かつ欠相が検出された場合にＯ
Ｎとなる。
【００３５】
符号１４Ａ，１４ＢのＯＲを符号１６とし、符号１５と符号１６のＮＯＴ（符号２０）
のＡＮＤを１７、符号１６と符号９Ａ、９ＢのＡＮＤを符号１８とする。符号１７と符号
１８のＯＲを符号１９とする。ＯＮが入力されたときに遮断器３Ａをトリップする機能を
「遮断器３Ａ  切」２１、遮断器３Ｂをトリップする機能を「遮断器３Ｂ  切」２２、同
様にＯＮが入力されたときに遮断器８Ａをトリップする機能を「遮断器８Ａ  切」２３、
遮断器８Ｂをトリップする機能を「遮断器８Ｂ  切」２４とする。
【００３６】
以下、非常用母線２Ａ，２Ｂへの給電が、それぞれの系統の受電変圧器１Ａ、１Ｂから
行われる場合と、母線連絡電路７を用いて受電変圧器１の一方から行われる場合とに分け
て説明する。
（受電変圧器１Ａ、１Ｂから非常用母線２Ａ，２Ｂに給電）
【００３７】
受電変圧器１Ａ、１Ｂから非常用母線２Ａ，２Ｂに給電される場合、通常時は遮断器８
Ａ、８Ｂの何れかは「切」状態とされる。このため、符号１６は必ずＯＮとなる。そして
、符号１７には符号２０からＯＦＦ（符号１６のＯＮのＮＯＴ）が入力されるため、符号
１７は必ずＯＦＦとなる。符号１８については、符号１６からの入力は必ずＯＮとなるた
め、符号９Ａ、９ＢからもＯＮが入力されると、符号１８もＯＮとなる。
【００３８】
すなわち、欠相故障検知装置６Ａ、６Ｂの両方で欠相が検出された場合に限り、符号１
８がＯＮとなり、符号１９もＯＮとなる。そして、遮断器３Ａ、Ｂは「切」状態となり、
遮断器８Ａ、８Ｂのうち一方が「入」状態だった場合はそれも「切」状態となる。そして
、所内電源系のインターロックにより自動的に非常用ディーゼル発電機４Ａ、４Ｂが起動
し、遮断器５Ａ、５Ｂが「入」状態とされ、外部電源系が隔離される。
（受電変圧器１Ａから非常用母線２Ａ，２Ｂ両方に給電）
【００３９】
受電変圧器１Ａから非常用母線２Ａ，２Ｂ両方に給電される場合、通常時は、遮断器３
Ａ、８Ａ、８Ｂは「入」状態、遮断器３Ｂは「切」状態である。
【００４０】
欠相故障検知装置６Ｂが欠相を検知した場合、遮断器３Ｂが「切」のため、符号１５へ
の入力はＯＦＦとなる。すなわち、符号１５は欠相故障検知装置６Ａが欠相を検知して符
号９ＡからＯＮが入力された場合のみにＯＮとなる。
【００４１】
遮断器８Ａ、８Ｂは「入」状態のため、符号１６はＯＦＦとなる。そして、符号２０か
ら符号１７へはＯＮが入力される。一方で、符号１８は、符号１６からＯＦＦが入力され
るため、ＯＮとならない。
【００４２】
以上から、欠相故障検知装置６Ａが欠相を検知すると符号１７、符号１９がＯＮとなり
、遮断器遮断器３Ａ、遮断器８Ａ、８Ｂが「切」状態となる。そして、所内電源系のイン
ターロックにより自動的に非常用ディーゼル発電機４Ａ、４Ｂが起動し、遮断器５Ａ、５
Ｂが「入」状態とされ、外部電源系が隔離される。一方で、欠相故障検知装置６Ｂによる
欠相の検知からは影響を受けない。
【００４３】
受電変圧器１Ｂから非常用母線２Ａ，２Ｂ両方に給電される場合は、上述の説明におい
て遮断器３、欠相故障検知装置６のＡとＢを読み替えた動作となる。
【００４４】
以上説明した本実施例の非常用電源設備１０１Ａでは、欠相により外部電源から非常用
母線２への給電機能が喪失された場合には確実にディーゼル発電機４の起動を行う一方で
、外部電源から非常用母線２への給電に影響ない欠相故障検知装置６の欠相検出（単一故
障、誤動作等）信号によってはディーゼル発電機４を起動しない。このような構成により
、非常用母線２への電力供給の信頼性を損なうことなく、健全系統存在時における非常用
ディーゼル発電機４の不要な起動を抑制することが可能となる。
【００４５】
ここで、非常用電源系統１００を３系統以上備える場合は、非常用母線２のそれぞれに
各系統の受電変圧器１から給電する場合は、全ての欠相故障検知装置６が欠相を検出した
場合に、外部電源系を隔離して非常用ディーゼル発電機４を起動する構成とする。また、
何れかの受電変圧器１から複数の非常用母線２に給電する場合は、母線連絡電路７を介し
て給電を受けている非常用電源系統１００の欠相故障検知装置６の欠相検出の有無には影
響を受けず、母線連絡電路７を介して給電を受けている非常用電源系統１００以外の非常
用電源系統１００の欠相故障検知装置６の全てが欠相を検出した場合に、外部電源系を隔
離して非常用ディーゼル発電機４を起動する構成とする。例えば、受電変圧器１Ａから非
常用母線２Ａ、２Ｂ、２Ｃに給電する場合は、欠相故障検知装置６Ａの欠相検出によって
のみ外部電源系の隔離、ディーゼル発電機の起動を行う。また、受電変圧器１Ａから非常
用母線２Ａに、受電変圧器１Ｂから非常用母線２Ｂ、２Ｃに給電を行う場合は、欠相故障
検知装置６Ａ、６Ｂの両方が欠相を検出した場合に外部電源系の隔離、ディーゼル発電機
の起動を行う。
【００４６】
以上、本発明のいくつかの実施形態を説明した。上述した機能は、例えば原子力発電所
に設置され、各欠相故障検出装置の検知信号を含む原子力発電所の各種信号を受信し、各
遮断器や各ディーゼル発電機に動作信号を送信する制御盤（制御装置）に、インターロッ
クとして実装することで実現される。
【００４７】
また、これらの実施形態は、例として提示したものであり、発明の範囲を限定すること
は意図していない。これら新規な実施形態は、その他の様々な形態で実施されることが可
能であり、発明の要旨を逸脱しない範囲で、種々の省略、置き換え、変更を行うことがで
きる。これら実施形態やその変形は、発明の範囲や要旨に含まれるとともに、特許請求の
範囲に記載された発明とその均等の範囲に含まれる。
【符号の説明】
【００４８】
１０１…非常用電源設備、１００Ａ，１００Ｂ…非常用電源系統、１Ａ，１Ｂ…受電変圧
器、２Ａ，２Ｂ…非常用母線、３Ａ，３Ｂ，５Ａ，５Ｂ，８Ａ，８Ｂ…遮断器、４Ａ，４
Ｂ…ディーゼル発電機、６Ａ，６Ｂ…欠相故障検出装置、７…母線連絡電路
【図１】
2020148748.tif 000003
【図２】
2020148748.tif 000004
【図３】
2020148748.tif 000005
【図４】
2020148748.tif 000006